(57)【要約】【課題】ハンドル部が曲面で形成されている歯ブラシが収容された際にも、歯ブラシの回転を抑制できるブリスター包装容器を提供する。【解決手段】植毛面５１に複数の毛束５２が設けられたヘッド部５３、ネック部５４及びハンドル部５５が長さ方向に順次設けられた歯ブラシ５０を、ドーム状に膨出する収容部１１内にヘッド部の植毛面と逆側の背面５７を収容部の開口側に向けて収容する透明樹脂材で形成された容器本体１０と、収容部の開口側を閉鎖する板体２０とを備える。板体が収容部の開口側を閉鎖したときに背面を支持する背面支持部３１と、長さ方向と直交するヘッド部の幅方向両側から植毛面側に突出して設けられヘッド部の幅方向の側面の少なくとも一部を保持する側面保持部３２とを有するヘッド固定部３０を備える。【選択図】図１
2019099251.tif 000002
【特許請求の範囲】
【請求項１】
植毛面に複数の毛束が設けられたヘッド部、ネック部及びハンドル部が長さ方向に順次設けられた歯ブラシを、ドーム状に膨出する収容部内に前記ヘッド部の前記植毛面と逆側の背面を前記収容部の開口側に向けて収容する透明樹脂材で形成された容器本体と、
前記収容部の開口側を閉鎖する板体とを備え、
前記板体が前記収容部の開口側を閉鎖したときに前記背面を支持する背面支持部と、前記長さ方向と直交する前記ヘッド部の幅方向両側から前記植毛面側に突出して設けられ前記ヘッド部の前記幅方向の側面の少なくとも一部を保持する側面保持部とを有するヘッド固定部を備えることを特徴とするブリスター包装容器。
【請求項２】
前記ヘッド固定部は、前記容器本体及び前記板体とは独立して設けられている、ことを特徴とする請求項１記載のブリスター包装容器。
【請求項３】
前記ヘッド固定部は、前記板体の前記開口側に一体的に設けられた成形体である、ことを特徴とする請求項１記載のブリスター包装容器。
【請求項４】
前記収容部は、前記開口側から前記膨出側に向かって先細って傾斜する傾斜面で囲まれ前記ヘッド部を収容するヘッド収容部を有し、
前記ヘッド固定部は、前記傾斜面に嵌合する嵌合面を有し、
前記嵌合面が前記傾斜面に嵌合したときに、前記背面支持部は、前記毛束が前記容器本体と離間した位置で前記背面を支持する、ことを特徴とする請求項１から３のいずれか一項に記載のブリスター包装容器。
【請求項５】
前記側面保持部の突出量は、前記ヘッド部の厚さ以上であり、
前記側面保持部の周長は、前記ヘッド固定部における前記植毛面側の外周長の３０％以上の長さである、ことを特徴とする請求項１から４のいずれか一項に記載のブリスター包装容器。
【請求項６】
前記側面保持部の周長は、前記ヘッド固定部における前記植毛面側の外周長の８０％以上の長さであり、
前記側面保持部の突出量は、前記ヘッド部の厚さの３０％以上である、ことを特徴とする請求項１から４のいずれか一項に記載のブリスター包装容器。
【請求項７】
前記ハンドル部の前記背面側の面は、断面が略円弧形状である、ことを特徴とする請求項１から６のいずれか一項に記載のブリスター包装容器。
【発明の詳細な説明】
【技術分野】
【０００１】
本発明は、ブリスター包装容器に関するものである。
【背景技術】
【０００２】
従来、歯ブラシを収容する包装容器として、歯ブラシが収容されるブリスター部分（収容部）がドーム形状に突出している容器本体と、収容部の開口部分を閉鎖する板体とを有するブリスター包装容器が知られている。
【０００３】
このようなブリスター包装容器では、例えば下記特許文献１に示されているような、ブリスター包装容器内での歯ブラシの回転や移動を防止するために歯ブラシのハンドル形状に合わせた形状の凹凸部を有するドーム形状を採用している。
【先行技術文献】
【特許文献】
【０００４】
【特許文献１】特開２０１４−１７２６２９号公報
【発明の概要】
【発明が解決しようとする課題】
【０００５】
しかしながら、特許文献１に記載されたブリスター包装容器は、ハンドル部が角柱状の場合は、回転を抑制した状態で歯ブラシを収容可能であるが、ハンドル部が円柱状あるいは楕円柱状等で外周面が曲面で形成されている場合には、搬送時の振動等により歯ブラシが回転する可能性がある。ブリスター包装容器内で歯ブラシが回転すると、毛先が容器本体に接触し変形したりすることにより歯ブラシの機能低下を招きかねない。また、歯ブラシのヘッド部が斜めや横向きになるなどすると、店頭において外観上も好ましくない。
【０００６】
本発明は、以上のような点を考慮してなされたもので、ハンドル部が曲面で形成されている歯ブラシが収容された際にも、歯ブラシの回転を抑制できるブリスター包装容器を提供することを目的とする。
【課題を解決するための手段】
【０００７】
本発明の第１の態様に従えば、植毛面に複数の毛束が設けられたヘッド部、ネック部及びハンドル部が長さ方向に順次設けられた歯ブラシを、ドーム状に膨出する収容部内に前記ヘッド部の前記植毛面と逆側の背面を前記収容部の開口側に向けて収容する透明樹脂材で形成された容器本体と、前記収容部の開口側を閉鎖する板体とを備え、前記板体が前記収容部の開口側を閉鎖したときに前記背面を支持する背面支持部と、前記長さ方向と直交する前記ヘッド部の幅方向両側から前記植毛面側に突出して設けられ前記ヘッド部の前記幅方向の側面の少なくとも一部を保持する側面保持部とを有するヘッド固定部を備えることを特徴とするブリスター包装容器が提供される。
【０００８】
また、上記本発明の一態様に係るブリスター包装容器において、前記ヘッド固定部は、前記容器本体及び前記板体とは独立して設けられている、ことを特徴とする。
【０００９】
また、上記本発明の一態様に係るブリスター包装容器において、前記ヘッド固定部は、前記板体の前記開口側に一体的に設けられた成形体である、ことを特徴とする。
【００１０】
また、上記本発明の一態様に係るブリスター包装容器において、前記収容部は、前記開口側から前記膨出側に向かって先細って傾斜する傾斜面で囲まれ前記ヘッド部を収容するヘッド収容部を有し、前記ヘッド固定部は、前記傾斜面に嵌合する嵌合面を有し、前記嵌合面が前記傾斜面に嵌合したときに、前記背面支持部は、前記毛束が前記容器本体と離間した位置で前記背面を支持する、ことを特徴とする。
【００１１】
また、上記本発明の一態様に係るブリスター包装容器において、前記側面保持部の突出量は、前記ヘッド部の厚さ以上であり、前記側面保持部の周長は、前記ヘッド固定部における前記植毛面側の外周長の３０％以上の長さである、ことを特徴とする。
【００１２】
また、上記本発明の一態様に係るブリスター包装容器において、前記側面保持部の周長は、前記ヘッド固定部における前記植毛面側の外周長の８０％以上の長さであり、前記側面保持部の突出量は、前記ヘッド部の厚さの３０％以上である、ことを特徴とする。
【００１３】
また、上記本発明の一態様に係るブリスター包装容器において、前記ハンドル部の前記背面側の面は、断面が略円弧形状である、ことを特徴とする。
【発明の効果】
【００１４】
本発明では、ハンドル部が曲面で形成されている歯ブラシが収容された際にも、歯ブラシの回転を抑制することが可能になる。
【図面の簡単な説明】
【００１５】
【図１】本発明の実施形態を示す図であって、第１実施形態に係るブリスター包装容器１の分解斜視図である。
【図２】図１におけるＡ−Ａ線視断面図である。
【図３】図１におけるＢ−Ｂ線視断面図である。
【図４】図１におけるＣ−Ｃ線視断面図である。
【図５】本発明の実施形態に係るヘッド固定部３０の外観斜視図である。
【図６】本発明の実施形態を示す図であって、第２実施形態に係るブリスター包装容器１の分解斜視図である。
【発明を実施するための形態】
【００１６】
以下、本発明のブリスター包装容器の実施の形態を、図１ないし図６を参照して説明する。
なお、以下の実施形態は、本発明の一態様を示すものであり、この発明を限定するものではなく、本発明の技術的思想の範囲内で任意に変更可能である。また、以下の図面においては、各構成の理解を容易にするために、実際の構造と各構造における縮尺や数等を異ならせている。
【００１７】
［第１実施形態］
図１は、第１実施形態に係るブリスター包装容器１の分解斜視図である。
ブリスター包装容器１は、容器本体１０、板体２０及びヘッド固定部３０を有している。容器本体１０は、平面視矩形の板状に形成されている。容器本体１０は、歯ブラシ５０を収容する収容部１１を有している。
【００１８】
歯ブラシ５０は、ヘッド部５３、ヘッド部５３の後端側に設けられたネック部５４、ネック部５４の後端側に設けられたハンドル部５５を有している。本実施形態における歯ブラシ５０は、一例として、電源から供給される電力により駆動される電動歯ブラシである。歯ブラシ５０は、ヘッド部５３及びネック部が一体化された交換部材がハンドル部５５の先端側に設けられた脱着部５６において脱着（交換）可能である。
【００１９】
ヘッド部５３は、植毛面５１に毛束５２が植設されている。ヘッド部５３の形状、長さ、幅、厚さ等については特に限定されない。本実施形態におけるヘッド部５３は、厚さが、一例として２．０ｍｍ〜４．０ｍｍの範囲に設定された薄型ヘッドである。ハンドル部５５は、ヘッド部５３における植毛面５１と逆側に位置する背面５７側の断面が略円弧形状である。ハンドル部５５は、略円柱状に形成されている。ネック部５４は、ハンドル部５５の先端側からヘッド部５３の後端側に亘って断面積が漸次小さくなる略円柱状に形成されている。
【００２０】
以下の説明においては、容器本体１０、板体２０及び歯ブラシ５０の長手方向をＹ方向とし、植毛面５１と平行でＹ方向と直交するヘッド部５３の幅方向をＸ方向とし、Ｙ方向及びＸ方向と直交するとともに植毛面５１と直交する方向をＺ方向として適宜説明する。
【００２１】
容器本体１０は、平面視略矩形状の基板部１２と、基板部１２の端縁から−Ｚ側に全周に亘って延びる側壁部１３と、側壁部の−Ｚ側端部から外側に張り出すフランジ部１４とを有している。基板部１２は、＋Ｚ側にドーム状に膨出する収容部１１、収容部１５、台座部１６及び筒部１８を有している。収容部１５は、Ｙ方向に延びる半円柱状に形成されている。収容部１５は、一例として、上記電源として乾電池を収容する。台座部１６は、＋Ｙ方向の端部側に配置されており、ＸＺ平面と平行な座面１７を有している。ブリスター包装容器１は、座面１７を接地させることにより、ヘッド部５３が上側に配置された状態で直立することが可能になる。
【００２２】
筒部１８は、基板部１２における−Ｙ側の端縁近傍に配置されている。筒部１８は、基板部１２におけるＸ方向の中央位置に配置されている。筒部１８は、基板部１２から−Ｚ側に延びる円筒である。筒部１８は、フランジ部１４よりも−Ｚ側に突出しない高さに形成されている。
【００２３】
容器本体１０として、例えばポリエステル系樹脂、ポリカーボネート系樹脂、ポリエチレン系樹脂、ポリプロピレン系樹脂、ポリスチレン系樹脂等が挙げられ、とくに透明性に優れるポリエステル系樹脂のポリエチレンテレフタレート樹脂が好適に用いることができる。
【００２４】
収容部１１は、ヘッド部５３の背面５７を開口側（−Ｚ側）に向け、植毛面５１がドーム状の膨出側（＋Ｚ側；以下、適宜膨出側と称する）に向く姿勢で歯ブラシ５０を収容する。収容部１１は、ヘッド部５３を収容するヘッド収容部４３と、ネック部５４を収容するネック収容部４４と、ハンドル部５５を収容するハンドル収容部４５とを有している。
【００２５】
図２は、図１におけるＡ−Ａ線視断面図であり、ハンドル収容部４５のＸＺ断面図である。図２に示されるように、ハンドル収容部４５は、膨出側に配置された曲面部４５ａと、開口側（−Ｚ側；以下、適宜開口側と称する）に配置された斜面部４５ｂと、斜面部４５ｂのＺ方向の中途に配置された一対の係合部４５ｃとを有している。曲面部４５ａの断面形状は、収容部１１に歯ブラシ５０が収容された際にハンドル部５５の＋Ｚ側に臨む表面と所定距離の隙間を介してオフセットした略半円形状に形成されている。斜面部４５ｂの断面形状は、曲面部４５ａに接し開口側に向かうに従って互いの幅が大きくなる傾斜面（テーパ面）に形成されている。
【００２６】
係合部４５ｃの断面形状は、ハンドル収容部４５の内部空間に向けて膨出する略半円形状である。係合部４５ｃ同士のＸ方向の最短距離は、ハンドル部５５の直径よりも小さく形成されている。係合部４５ｃは、図１に示すように、Ｙ方向に延び、ハンドル収容部４５の一部に局所的に形成されている。ハンドル部５５をハンドル収容部４５の膨出側に押し込むと、ハンドル部５５が係合部４５ｃに当接するとともに、斜面部４５ｂが互いに離間する方向に弾性変形することにより、図２に示すように、ハンドル部５５は、係合部４５ｃを乗り越えてハンドル収容部４５に収容される。ハンドル部５５がハンドル収容部４５に収容されると、係合部４５ｃは弾性復元力により変形前の位置に移動し開口側からハンドル部５５に係合する。
【００２７】
図３は、図１におけるＢ−Ｂ線視断面図であり、ネック収容部４４のＸＺ断面図である。図３に示されるように、ネック収容部４４は、膨出側に配置された曲面部４４ａと、開口側に配置された斜面部４４ｂと、斜面部４４ｂのＺ方向の中途に配置された一対の係合部４４ｃとを有している。曲面部４４ａの断面形状は、収容部１１に歯ブラシ５０が収容された際にネック部５４の＋Ｚ側に臨む表面と所定距離の隙間を介してオフセットした略半円形状に形成されている。斜面部４４ｂの断面形状は、曲面部４４ａに接し開口側に向かうに従って互いの幅が大きくなる傾斜面（テーパ面）に形成されている。
【００２８】
係合部４４ｃの断面形状は、ネック収容部４４の内部空間に向けて膨出する略半円形状である。係合部４４ｃ同士のＸ方向の最短距離は、ネック部５４の直径よりも小さく形成されている。係合部４４ｃは、図１に示すように、Ｙ方向に延び、ネック収容部４４の一部に局所的に形成されている。ネック部５４をネック収容部４４の膨出側に押し込むと、ネック部５４が係合部４４ｃに当接するとともに、斜面部４４ｂが互いに離間する方向に弾性変形することにより、図３に示すように、ネック部５４は、係合部４４ｃを乗り越えてネック収容部４４に収容される。ネック部５４がネック収容部４４に収容されると、係合部４４ｃは弾性復元力により変形前の位置に移動し開口側からネック部５４に係合する。
【００２９】
図４は、図１におけるＣ−Ｃ線視断面図であり、容器本体１０、板体２０及びヘッド固定部３０を含むブリスター包装容器１のＸＺ断面図である。
図４に示されるように、ヘッド収容部４３は、膨出側に配置された天板部４３ａと、開口側に配置された斜面部（傾斜面）４３ｂとを有している。天板部４３ａは、ＸＹ平面と平行に配置されている。Ｚ方向における天板部４３ａの位置は、ヘッド部５３がヘッド収容部４３に収容された際に毛束５２との間に所定距離の隙間が形成される位置に設定されている。斜面部４３ｂは、開口側から膨出側に向かって先細る方向に傾斜している。ヘッド収容部４３は、周囲を囲む斜面部４３ｂと底部に配置された天板部４３ａによって形成された空間にヘッド部５３を収容する。
【００３０】
図１に戻り、板体２０は、平面視略矩形状の基板部２１と、基板部２１の端縁から−Ｚ側に全周に亘って延びる側壁部２２と、側壁部の−Ｚ側端部から外側に張り出すフランジ部２３とを有している。
【００３１】
板体２０は、側壁部２２の外周面が容器本体１０における側壁部１３の内周面と嵌合する。板体２０は、側壁部２２の外周面が容器本体１０における側壁部１３の内周面と嵌合したときに、基板部２１が容器本体１０における収容部１１、収容部１５及び台座部１６の開口側を閉鎖する。フランジ部２３は、容器本体１０のフランジ部１４と、例えば、ホットメルト等により接着固定される領域である。なお、容器本体１０の基板部１２と、板体２０の基板部２１との間に、歯ブラシ５０に関する情報が表示された台紙等を介在させてもよいが、本実施形態では、基板部２１が容器本体１０における収容部１１、収容部１５及び台座部１６の開口側を閉鎖するものとして説明する。
【００３２】
また、板体２０は、側壁部２２の外周面が容器本体１０における側壁部１３の内周面と嵌合したときに、基板部２１に形成された貫通孔２４に容器本体１０における筒部１８が挿通される。貫通孔２４に筒部１８が挿通されることにより、ブリスター包装容器１における−Ｙ側の端部近傍（すなわち、歯ブラシ５０のヘッド部５３近傍）でＸ方向の中央位置には、Ｚ方向に貫通する貫通孔が形成される。当該貫通孔が形成されていることにより、ブリスター包装容器１は、店頭においてフック掛けでの陳列が可能になる。
【００３３】
板体２０は、容器本体１０と同様の透明樹脂材（例えば、ポリエステル系樹脂のポリエチレンテレフタレート樹脂）で形成されている。
【００３４】
図５は、ヘッド固定部３０の外観斜視図である。ヘッド固定部３０は、容器本体１０及び板体２０とは独立して設けられている。図５に示すように、ヘッド固定部３０は、背面支持部３１、側面保持部３２、側壁部３３及びフランジ部３４を有している。ヘッド固定部３０は、ヘッド部５３が収容されたヘッド収容部４３に挿入される。ヘッド固定部３０は、図４に示したように、ヘッド収容部４３に挿入された際に、側壁部３３がヘッド収容部４３の斜面部４３ｂに嵌合する。すなわち、側壁部３３の外周面は、ヘッド収容部４３の斜面部４３ｂに嵌合する嵌合面３３ａである。
【００３５】
フランジ部３４は、側壁部３３の−Ｚ側端部から外側にＸＹ平面と平行に張り出している。フランジ部３４は、背面支持部３１、側面保持部３２及び側壁部３３がヘッド収容部４３に挿入された際に、容器本体１０の基板部１２に−Ｚ側から係合する。ヘッド固定部３０は、フランジ部３４が容器本体１０の基板部１２に−Ｚ側から係合し、さらに、−Ｚ側から板体２０の基板部２１が接合することにより、Ｚ方向に位置決めされる。
【００３６】
ヘッド固定部３０は、容器本体１０及び板体２０と同様の透明樹脂材（例えば、ポリエステル系樹脂のポリエチレンテレフタレート樹脂）で形成されている。
【００３７】
背面支持部３１は、ＸＹ平面と平行に配置されている。背面支持部３１は、板体２０がヘッド収容部４３（収容部１１）を閉鎖したときに、ヘッド部５３の背面５７を支持する。背面支持部３１の＋Ｙ側には、ネック部５４の背面側を支持する傾斜面３５が形成されている。側面保持部３２は、背面支持部３１の−Ｙ側（ヘッド部５３の先端側）及び背面支持部３１の＋Ｙ側（ネック部５４が配置される側）を除いた背面支持部３１のＸ方向両側に配置されている。側面保持部３２は、＋Ｚ側に突出して設けられている。側面保持部３２は、Ｘ方向両側からヘッド部５３の側面の少なくとも一部を保持する。
【００３８】
側面保持部３２の突出量、すなわち、ヘッド部５３の側面に対するＺ方向の保持高さがヘッド部５３の厚さ以上である場合、側面保持部３２の周長は、ヘッド固定部３０における＋Ｚ側の外周長の３０％以上の長さであることが好ましい。側面保持部３２の突出量及び周長が上記の範囲であれば、ヘッド部５３の側面に対する保持面積が十分な大きさとなり、背面支持部３１による背面５７の支持と側面保持部３２による側面の保持とによりヘッド部５３の植毛面５１がＸＹ平面に対して傾くことを抑制できる。従って、植毛面５１が傾いて毛束５２が天板部４３ａと斜面部４３ｂの少なくとも一方に接触することを抑制できる。
【００３９】
また、側面保持部３２の周長、すなわち、ヘッド部５３の側面に対する周方向の保持長さがヘッド固定部３０における＋Ｚ側の外周長の８０％以上の長さである場合、側面保持部３２の突出量は、ヘッド部５３の厚さの３０％以上であることが好ましい。この場合についても、側面保持部３２の突出量及び周長が上記の範囲であれば、ヘッド部５３の側面に対する保持面積が十分な大きさとなり、背面支持部３１による背面５７の支持と側面保持部３２による側面の保持とによりヘッド部５３の植毛面５１がＸＹ平面に対して傾くことを抑制できる。従って、植毛面５１が傾いて毛束５２が天板部４３ａと斜面部４３ｂの少なくとも一方に接触することを抑制できる。
【００４０】
以上説明したように、本実施形態のブリスター包装容器１では、ハンドル部５５が円柱状でＹ軸周りに回転する可能性がある歯ブラシ５０を収容部１１に収容した場合でも、ヘッド固定部３０における背面支持部３１によりヘッド部５３の背面５７を支持し、側面保持部３２によりヘッド部５３の側面を幅方向両側から保持するため、ヘッド部５３が回転することを抑制できる。そのため、本実施形態のブリスター包装容器１では、毛束５２の毛先が容器本体１０に接触することで生じる変形及び機能低下を抑制できるとともに、ヘッド部５３が斜めや横向きになって外観性が低下することを抑制できる。
【００４１】
また、本実施形態のブリスター包装容器１では、ヘッド固定部３０が容器本体１０及び板体２０とは独立して設けられているため、ヘッド部５３の形状、大きさ、厚さ等が異なる種々の歯ブラシ５０に容易に対応することができる。
【００４２】
［第２実施形態］
次に、ブリスター包装容器１の第２実施形態について、図６を参照して説明する。
この図において、図１乃至図５に示す第１実施形態の構成要素と同一の要素については同一符号を付し、その説明を省略する。
【００４３】
図６は、第２実施形態に係るブリスター包装容器１の分解斜視図である。
図６に示されるように、板体２０における基板部２１の＋Ｚ側には、ヘッド固定部３０Ａが設けられている。すなわち、ヘッド固定部３０Ａは、板体２０の＋Ｚ側に一体的に設けられた成形体である。
他の構成は、上記第１実施形態と同様である。
【００４４】
上記構成のブリスター包装容器１では、上記第１実施形態と同様の作用・効果が得られることに加えて、ヘッド固定部３０Ａと板体２０とを同一工程で成形できるため、製造効率の向上に寄与できる。また、上記第１実施形態では、ヘッド固定部３０をヘッド収容部４３に挿入する工程と、その後に板体２０の側壁部２２の外周面を容器本体１０の側壁部１３の内周面−Ｚ側から嵌合させる工程の二段階の工程が必要であったが、本実施形態では、板体２０の側壁部２２の外周面を容器本体１０の側壁部１３の内周面−Ｚ側から嵌合させる工程においてヘッド固定部３０Ａをヘッド収容部４３に挿入することが可能になる。そのため、上記第１実施形態で必要であった二つの工程が、本実施形態では一つの工程で済むことになり、製造効率の向上に一層寄与できる。
【００４５】
［実施例］
以下、実施例を示して本発明を詳細に説明するが、本発明は以下の実施例に限定されるものではなく、その要旨を逸脱しない範囲で適宜変更して実施することができる。
【００４６】
（実施例１〜６、比較例１〜２）
本実施例は、［表１］に示される仕様に従ったヘッド固定部を用い、容器本体１０の収容部１１に歯ブラシ５０を収容し、各例のヘッド固定部をヘッド収容部４３に挿入した後に板体２０を容器本体１０の−Ｚ側から嵌合させ、板体２０のフランジ部２３と容器本体１０のフランジ部１４とを超音波シール機で溶着したブリスター包装容器１をサンプルとして製作した。
【００４７】
実施例１は、側面保持部３２の周長がヘッド固定部における＋Ｚ側の外周長の８０％であり、側面保持部３２の突出量が、ヘッド部５３の厚さを超える（ヘッド部５３の厚さの１２０％である）ヘッド固定部を用いた。実施例２は、側面保持部３２の周長がヘッド固定部における＋Ｚ側の外周長の８０％であり、側面保持部３２の突出量が、ヘッド部５３の厚さと同一のヘッド固定部を用いた。実施例３は、側面保持部３２の周長がヘッド固定部における＋Ｚ側の外周長の８０％であり、側面保持部３２の突出量が、ヘッド部５３の厚さの３０％であるヘッド固定部を用いた。実施例４は、側面保持部３２の周長がヘッド固定部における＋Ｚ側の外周長の５０％であり、側面保持部３２の突出量が、ヘッド部５３の厚さと同一のヘッド固定部を用いた。実施例５は、側面保持部３２の周長がヘッド固定部における＋Ｚ側の外周長の３０％であり、側面保持部３２の突出量が、ヘッド部５３の厚さと同一のヘッド固定部を用いた。実施例６は、側面保持部３２の周長及び突出量が実施例２と同一であり、板体２０と一体的に成形された図６に示したヘッド固定部を用いた。
【００４８】
比較例１は、上述のヘッド固定部を用いないブリスター包装容器１をサンプルとして用いた。比較例２は、側面保持部３２が設けられていないヘッド固定部を用いた。
【００４９】
【表１】
2019099251.tif 000003
【００５０】
［試験方法］
各例のサンプルについては、振動試験及び落下試験を実施した。
振動試験は、一箱に２４本のサンプルが収納された収納箱を二箱（サンプル合計４８本）、JIS Z0200-2013(包装貨物-性能試験法一般通則)に基づいた振動試験を実施した。落下試験は、一箱に２４本のサンプルが収納された収納箱を二箱（サンプル合計４８本）、５０ｃｍの高さから落下させた。収納箱の落下時には、正立状態（ブリスター包装容器１の＋Ｙ側が下向きの状態）で二回実施し、正立状態時における面積が大きい側面を下向きにした状態で一回実施し、正立状態時における面積が小さい側面（つま面）を下向きにした状態で一回実施し、上記の側面とつま面との稜線を下向きにした状態で一回実施した。
【００５１】
［評価方法］
上記振動試験後及び落下試験後のそれぞれで、−Ｙ側からブリスター包装容器１のヘッド収容部４３を観察し、ヘッド部５３と天板部４３ａとが平行で毛束５２の毛先が天板部４３ａと対向する正面向きの場合を良好と評価し、天板部４３ａに対してヘッド部５３が傾き毛束５２の毛先が天板部４３ａまたは斜面部４３ｂに接触するものの、毛先の潰れが無い場合をやや不良と評価し、天板部４３ａに対してヘッド部５３が傾き毛束５２の毛先が天板部４３ａまたは斜面部４３ｂに接触して毛先に潰れが生じた場合を不良と評価した。
【００５２】
各例において評価結果が良好であったサンプル数の割合を振動試験及び落下試験のそれぞれで回転抑制率（％）として算出した。振動試験における回転抑制率及び落下試験における回転抑制率の双方が８０％以上である場合には「ＯＫ」と評価し、少なくとも一方が８０％未満である場合には「ＮＧ」と評価した。
【００５３】
［表１］の実施例１〜３に示されるように、側面保持部３２の周長がヘッド固定部における＋Ｚ側の外周長の８０％である場合には、側面保持部３２の突出量が、ヘッド部５３の厚さの３０％以上であれば、ヘッド部５３の回転が抑制された良好な結果が得られることを確認できた。
【００５４】
また、実施例１〜２、４〜６に示されるように、側面保持部３２の突出量が、ヘッド部５３の厚さ以上である場合には、側面保持部３２の周長がヘッド固定部における＋Ｚ側の外周長の３０％以上であれば、ヘッド部５３の回転が抑制された良好な結果が得られることを確認できた。
【００５５】
これに対して、ヘッド固定部を用いない比較例１、及び背面支持部３１を有するものの側面保持部３２が設けられていないヘッド固定部を用いた比較例２については、良好な結果が得られないことを確認できた。比較例２については、背面支持部３１を有することにより回転抑制の効果は確認できたが、十分な効果とは言えないことを確認できた。
【００５６】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００５７】
例えば、上記実施形態では、歯ブラシ５０のハンドル部５５が円柱状である構成を例示したが、この構成に限定されない。本発明に係るブリスター包装容器は、ハンドル部５５の背面側に断面が略円形状の曲面を有し、植毛面５１側にＸＹ平面と平行な平面を有し断面がＤ形状のハンドル部、Ｘ方向と平行な長軸を有する断面が楕円形状のハンドル部等、背面側に曲面を有しＹ軸と平行な軸周りに回転する可能性があるハンドル部を備えた歯ブラシに広く適用可能である。
【００５８】
また、上記実施形態では、ブリスター包装容器１に収容された歯ブラシ５０が電動である構成を例示したが、この構成に限定されない。ブリスター包装容器１に収容された歯ブラシとしては、駆動機構を有さず手動のみで清掃を行う歯ブラシについても適用可能である。また、歯ブラシとしては、植毛面５１に複数の毛束５２が設けられる構成の他にヘッド部にＺ方向に延びる単軸状の支持軸が設けられ、支持軸を中心として放射状に用毛が延びる歯間ブラシについても適用可能である。
【００５９】
また、上記実施形態では、板体２０を容器本体１０と同様の樹脂材で形成する構成を例示したが、板体２０を不透明の台紙により形成し、容器本体１０のフランジ部１４と接着して固定する構成としてもよい。
【符号の説明】
【００６０】
１…ブリスター包装容器、  １０…容器本体、  １１…収容部、  ２０…板体、  ３０…ヘッド固定部、  ３１…背面支持部、  ３２…側面保持部、  ３３ａ…嵌合面、  ４３…ヘッド収容部、  ４３ｂ…斜面部（傾斜面）、  ４４…ネック収容部、  ５０…歯ブラシ、  ５１…植毛面、  ５２…毛束、  ５３…ヘッド部、  ５４…ネック部、  ５５…ハンドル部、  ５７…背面
【図１】
2019099251.tif 000004
【図２】
2019099251.tif 000005
【図３】
2019099251.tif 000006
【図４】
2019099251.tif 000007
【図５】
2019099251.tif 000008
【図６】
2019099251.tif 000009